(57)【要約】【課題】バッテリ搭載時に突出量の小さい取手でも、バッテリの搬送時には持ちやすく、バッテリの取付後は取手が邪魔にならないバッテリ搬送取付装置を提供すること。【解決手段】バッテリ４をバッテリ取付部（車体パネルであるブラケット１）に固定するバッテリ固定装置８と、前記バッテリ４の上面に配設され且つ前記バッテリ４に所定量上下動可能に保持された取手（把手部１３）を備えている。しかも、前記バッテリ４が前記バッテリ固定装置８により前記バッテリ取付部（ブラケット１）上に固定されているときには、前記取手（把手部１３）が前記バッテリ固定装置８により前記バッテリ４の上面に当接させられ、且つ前記バッテリ固定装置８によるバッテリ４の固定が解除されたときには、前記バッテリ固定装置８による前記取手（把手部１３）の固定が解除されて、前記取手（把手部１３）を上方に前記所定量引き上げ可能に設けられている。【選択図】  図１
2005053261.tif 000002
【特許請求の範囲】
【請求項１】
バッテリをバッテリ取付部に固定するバッテリ固定装置と、前記バッテリの上面に配設され且つ前記バッテリに所定量上下動可能に保持された取手とを備えると共に、
前記バッテリが前記バッテリ固定装置により前記バッテリ取付部に固定されているときには、前記取手が前記バッテリ固定装置により前記バッテリの上面に当接させられ、且つ前記バッテリ固定装置によるバッテリの固定が解除されたときには、前記バッテリ固定装置による前記取手の固定が解除されて、前記取手を上方に前記所定量引き上げ可能に設けられていることを特徴とするバッテリ搬送取付装置。
【請求項２】
バッテリを載置可能な載置部及び前記載置部の対向縁部に設けられた一対の支持部を有するバッテリトレイと、両端部が前記一対の支持部の上端部にそれぞれ保持されたバッテリ支持部材を備え、
前記バッテリ支持部材は、前記バッテリ固定装置により前記バッテリが固定された時に前記バッテリに対して押し付けられて前記バッテリを前記バッテリ取付部上に押さえ付けると共に、前記バッテリ固定装置による前記バッテリの固定状態が解除されたときに、前記バッテリへの押しつけが解除されて支持部により所定量持ち上げられて、前記取手として機能することを特徴とする請求項１に記載のバッテリ搬送取付装置。
【請求項３】
前記バッテリトレイの支持部は弾性体であることを特徴とする請求項２に記載のバッテリ搬送取付装置。
【請求項４】
前記バッテリ支持部材は、前記バッテリの上面に当接しているとき前記バッテリの上面の端子部に対応する部分が前記バッテリの上面の端子部より低く、且つ上方に前記所定量移動したときに前記端子部に対応する部分が前記端子部の上端より上方に持ち上がることを特徴する請求項２又は３に記載のバッテリ搬送取付装置。
【発明の詳細な説明】
【０００１】
【発明の属する技術分野】
この発明は、バッテリの搬送に用いる取手が設けられたバッテリ搬送取付装置に関するものである。
【０００２】
【従来の技術】
従来、バッテリの修理・交換のために、バッテリを車両より降ろしたり又はバッテリを車両に搭載する作業を行う際、作業者は重いバッテリを直接持たなければならない。このため、バッテリの修理・交換に際しては、作業者に多大な負担を与えていた。
【０００３】
この課題を解決するために、中央部が大きく上方に突出するように両端部をバッテリの上面に取り付けた取手を設けて、この取手を掴むことによりバッテリを吊り下げて搬送できるようにしたものも知られている（たとえば、特許文献１参照）。
【０００４】
【特許文献１】
実開平６−３９６２３号公報
【０００５】
【発明が解決しようとする課題】
しかしながら、取手の中央部が上方に大きく突出しているため、バッテリの吊り下げ搬送は容易であるが、バッテリを車両に搭載後は取手が邪魔になるものであった。また、バッテリを車両に搭載後に取手が邪魔にならないようにするために、取手の突出量を小さくした場合には持ちにくいという問題がある。
【０００６】
そこで、この発明は、バッテリ搭載時に突出量の小さい取手でも、バッテリの搬送時には持ちやすく、バッテリの取付後は取手が邪魔にならないバッテリ搬送取付装置を提供することを目的とするものである。
【０００７】
【課題を解決するための手段】
この目的を達成するため、この発明は、バッテリをバッテリ取付部に固定するバッテリ固定装置と、前記バッテリの上面に配設され且つ前記バッテリに所定量上下動可能に保持された取手とを備えると共に、前記バッテリが前記バッテリ固定装置により前記バッテリ取付部に固定されているときには、前記取手が前記バッテリ固定装置により前記バッテリの上面に当接させられ、且つ前記バッテリ固定装置によるバッテリの固定が解除されたときには、前記バッテリ固定装置による前記取手の固定が解除されて、前記取手を上方に前記所定量引き上げ可能に設けられているバッテリ搬送取付装置としたことを特徴とする。
【０００８】
【発明の効果】
この構成によれば取手は、バッテリがバッテリ固定装置によりバッテリ取付部上に固定されているとき、バッテリ固定装置によりバッテリの上面に当接させられている。これにより、バッテリがバッテリ取付部上に固定されているときには、取手の高さが低くなり、取手が邪魔になることはない。
【０００９】
また、取手は、バッテリ固定装置によるバッテリの固定が解除されたときには、前記バッテリ固定装置による前記取手の固定が解除される。この状態では、取手を上方に所定量引き上げ可能に設けられているので、バッテリの搬送時には取手が持ちやすい。
【００１０】
【発明の実施の形態】
以下、この発明の実施の形態を図面に基づいて説明する。
【００１１】
図１において、１は自動車等の車両の上方に突出するバッテリ取付部としてのブラケット（車体パネル）である。このブラケット１は、側壁２，２と、側壁２，２の上端を連設している上壁３を有する。そして、側壁２，２には、係止孔２ａ，（他方図示せず）が対応する位置に設けられている。４はブラケット１上に取り付けられるバッテリ、４ａはバッテリ４のプラス側の端子部、４ｂはバッテリ４のマイナス側の端子部である。
【００１２】
また、ブラケット１上には、バッテリ４をブラケット１に取り付けたり、バッテリ４を搬送したりするのに用いるバッテリ搬送取付装置５が載置されている。
このバッテリ搬送取付装置５は、弾性材料製のバッテリトレイ（弾性トレイ）６と、バッテリ支持ブラケット７と、バッテリ固定装置８を有する。
【００１３】
バッテリトレイ６は、図２に示したように長方形状のバッテリ載置部９と、このバッテリ載置部９の長手方向の端縁に上方に向けて一体に設けられた低い側壁１０，１０と、バッテリ載置部９の短手方向の端縁に上方に向けて一体に設けられた側壁（支持部）１１，１１を有する。
【００１４】
この支持部としての側壁１１は、側縁１１ａ，１１ａが図２，図７に示したように湾曲傾斜して、上端中央に向かうに従って先細り形状に形成されている。また、側壁１１の上端部には一対の係止孔１２，１２が形成されている。この係止孔１２は、図７に示したように上下方向に長く形成されている。
【００１５】
バッテリ支持ブラケット７は、図１，図４〜図６に示したように、バッテリ４上に位置する把手部（取手）１３と、把手部１３の両端に連設されてバッテリ４上から側方に突出する突出部１４を有する。
【００１６】
この把手部１３は、中央の握り部１３ａと、握り部１３ａの両端に斜め下方に向けて連設された傾斜部１３ｂと、バッテリ４の上面と平行に傾斜部１３ａに連設された端部１３ｃを有する。また、突出部１４は、端部１３ｃに斜め下方に向けて連設された傾斜部１４ａと、傾斜部１４ａに水平に連設された板部１４ｂを有する。
【００１７】
この板部１４ｂの下面には、図７に示したような一対の係止ロッド１５，１５が固定されている。この係止ロッド１５は、図３に示したように、上端部が板部１４ｂに側壁１１より外側の位置で固定され且つ下方に延びる基部１５ａと、側壁１１側に向けて折り曲げることにより基部１５ａに連設され且つ係止孔１２に挿通された係止軸部１５ｂと、斜め上方に向けて折り曲げることにより係止軸部１５ｂの先端に連設された抜け規制爪部１５ｃを有する。
【００１８】
しかも、基部１５ａの長さは、バッテリ支持ブラケット７の板部１４ｂがバッテリトレイ６の側壁１１の上端に当接したとき、係止孔１２の上端と係止軸部１５ｂとの間に微小な隙間が形成されると共に、抜け規制爪部１５ｃの先端が係止孔１２よりも上方に位置するように設定されている。これにより、側壁１１が係止軸部１５ｂの長手方向に相対移動しても、係止ロッド１５が係止孔１２から抜け外れないようになっている。
【００１９】
更に、バッテリ固定装置８は、図１，図３〜図５に示したように、上下に延びるバッテリ取付用の固定ロッド１６と、バッテリ支持ブラケット７の板部１４ｂ上に配設される締付ナット１７を有する。この固定ロッド１６は、図４，図６に示したように下端部に設けられたフック部１６ａと、図１，図３〜図５に示したように上端部に設けられたネジ部１６ｂを有する。
【００２０】
また、バッテリ支持ブラケット７の板部１４ｂには図３に示したように固定ロッド１６のネジ部１６ｂを挿通する挿通孔１８が形成されている。
【００２１】
次に、この様な構成のバッテリ搬送取付装置５の作用を上述した以外の条件と共に説明する。
【００２２】
この様な構成においては、バッテリ４及びバッテリトレイ６をバッテリ取付部としてのブラケット（車体パネル）１上に取り付ける場合には、先ず図３に示したように固定ロッド１６のネジ部１６ｂを板部１４ｂに設けた挿通孔１８（図３参照）に下方から挿通させて上方に突出させると共に、図１，図４に示したようにフック部１６ａをブラケット（バッテリ取付部）１に設けた係止孔２ａに挿通する。
【００２３】
この後、締付ナット１７をバッテリ支持ブラケット７の板部１４ｂに当接させた状態で、この締付ナット１７をネジ部１６ｂに螺着して締め付けることにより、締付ナット１７を下方に変位させる。
【００２４】
これにより、バッテリトレイ６の側壁（支持部）１１が板部１４ｂにより下方に押圧されて、側壁１１が図４に矢印１９で示したように自己の弾性力に抗して側方に突形状となるように撓み変形させられる。
【００２５】
この締付は把手部１３の端部１３ｃがバッテリ４の上面に圧接させられるまで行う。これにより、バッテリ４及びバッテリトレイ６がバッテリ取付部としてのブラケット（車体パネル）１上に固定される。
【００２６】
この状態では、図４に示したように、把手部１３の端部１３ｃがバッテリ４の端子部４ａ，４ｂの高さよりも低くなっている。また、把手部１３の握り部１３ａの高さも端子部４ａ，４ｂの高さと略同じに設定されていて、この握り部１３ａが邪魔になるようなことはない。
【００２７】
一方、バッテリ４の補修・交換のためにバッテリ４をブラケット１上から取り外す場合には、図５に示したように締付ナット１７を固定ロッド１６のネジ部１６ｂから取り外す。これにより、図４の様に撓み変形させられていた側壁１１は、図５に矢印２０で示したように自己の弾性力で原状に自動的に復帰して平坦となり、バッテリ支持ブラケット７が図４の状態から図５に示したように上方に所定量Ｈだけ持ち上げられる。この所定量Ｈは、図５に示したようにバッテリ４の端子部４ａ，４ｂの高さｈより僅かに大きくなっている。
【００２８】
また、バッテリ支持ブラケット７が上方に持ち上げられると、側壁１１の上端が係止ロッド１５の抜け規制爪部１５ｃ側に変位させられるが、係止ロッド１５は抜け規制爪部１５ｃにより係止孔１２から抜け外れるのが防止される。
【００２９】
この図５の状態では、把手部１３の握り部１３ａも上方に所定量Ｈだけ変位させられて、握り部１３ａとバッテリ４の上面との間の空間が大きくなっているので、握り部１３ａを容易に握ることができる。
【００３０】
従って、作業者は、図６に示したように握り部１３ａを手２１で握って、バッテリトレイ６を上方に持ち上げることにより、バッテリ４をバッテリ取付部としてのブラケット（車体パネル）１から持ち上げて搬送することができる。
【００３１】
また、バッテリ４をバッテリトレイ６から取り出す場合には、図７に破線で示したように、バッテリ４を傾斜させて側壁１０の上から引き出し、端子部４ａを把手部１３の端部１３ｃの下方を通過させるようにする。これにより、バッテリ４をバッテリトレイ６から取り出すことができる。また、これとは逆の操作を行うことにより、バッテリ４をバッテリトレイ６に搭載することができる。
【００３２】
尚、上述した実施例では、取手（把手部１３）をバッテリトレイ６の可撓性のある側壁（支持部）１１に取り付けることで、取手（把手部１３）を前記バッテリ４に所定量上下動可能に保持された構成としているが、必ずしもこれに限定されるものではない。
【００３３】
例えば、取手（把手部１３）をバッテリ４に直接所定量だけ上下移動可能に保持させ、バッテリ４をバッテリ固定装置８によりバッテリ取付部（車体パネルであるブラケット１）に固定するようにすることもできる。この際、取手（把手部１３）が設けられたバッテリ支持ブラケット７をバッテリ固定装置８によるバッテリ４の押さえ部材として用いることもできる。
【００３４】
また、このバッテリ固定装置８によるバッテリ４のバッテリ取付部（車体パネルであるブラケット１）への固定時に、バッテリ支持ブラケット７でバッテリ４をバッテリ取付部（車体パネルであるブラケット１）に押さえ付ける構成としているが、取手（把手部１３）の高さのみを考える場合にはバッテリ固定装置８によるバッテリ４のバッテリ取付部（車体パネルであるブラケット１）への固定と取手（把手部１３）の上下動する構成とは別にすることもできる。即ち、バッテリ４を固定手段でバッテリ取付部（車体パネルであるブラケット１）に固定する構成と、取手（把手部１３）をバッテリ４に上下動可能に取り付ける構成とを別にすることもできる。この場合でも、バッテリ４を固定手段でバッテリ取付部（車体パネルであるブラケット１）に固定したとき、取手（把手部１３）をバッテリ４上面に当接させれば、取手の高さは最小となって邪魔にならず、持ち運びの時に取手を引き上げれば、バッテリを容易に持ち運ぶことが可能となる。
【００３５】
以上説明したように、この発明の実施の形態のバッテリ搬送取付装置は、バッテリ４をバッテリ取付部（車体パネルであるブラケット１）に固定するバッテリ固定装置８と、前記バッテリ４の上面に配設され且つ前記バッテリ４に所定量上下動可能に保持された取手（把手部１３）とを備えている。しかも、前記バッテリ４が前記バッテリ固定装置８により前記バッテリ取付部（ブラケット１）上に固定されているときには、前記取手（把手部１３）が前記バッテリ固定装置８により前記バッテリ４の上面に当接させられ、且つ前記バッテリ固定装置８によるバッテリ４の固定が解除されたときには、前記バッテリ固定装置８による前記取手（把手部１３）の固定が解除されて、前記取手（把手部１３）を上方に前記所定量引き上げ可能に設けられている。
【００３６】
この構成によれば取手（把手部１３）は、バッテリ４がバッテリ固定装置８によりバッテリ取付部（ブラケット１）上に固定されているとき、バッテリ固定装置８によりバッテリ４の上面に当接させられている。これにより、バッテリ４がバッテリ取付部（ブラケット１）上に固定されているときには、取手（把手部１３）の高さが低くなり、取手（把手部１３）が邪魔になることはない。
【００３７】
また、取手（把手部１３）は、バッテリ固定装置８によるバッテリ４の固定が解除されたときには、前記バッテリ固定装置８による前記取手（把手部１３）の固定が解除される。この状態では、取手（把手部１３）を上方に所定量引き上げ可能に設けられているので、バッテリ４の搬送時には取手（把手部１３）が持ちやすい。
【００３８】
この様にバッテリ搭載時に突出量の小さい取手（把手部１３）でも、バッテリ４の搬送時には持ちやすく、バッテリ４の取付後は取手が邪魔にならないようにできる。
【００３９】
また、この発明の実施の形態のバッテリ搬送取付装置は、バッテリ４を載置可能な載置部（バッテリ載置部９）及び前記載置部（バッテリ載置部９）の対向縁部に設けられた一対の支持部（側壁１１）を有するバッテリトレイ６を備えている。また、バッテリ搬送取付装置は、両端部が前記一対の支持部（側壁１１）の上端部にそれぞれ保持されたバッテリ支持部材（バッテリ支持ブラケット７）を備えている。そして、前記バッテリ支持部材（バッテリ支持ブラケット７）は、前記バッテリ固定装置８により前記バッテリ４が固定された時に前記バッテリ４に対して押し付けられて前記バッテリ４を前記バッテリ取付部（ブラケット１）上に押さえ付けると共に、前記バッテリ固定装置８による前記バッテリ４の固定状態が解除されたときに、前記バッテリ４への押し付けが解除されて支持部（側壁１１）により前記所定量持ち上げられて、前記取手（把手部１３）として機能するようになっている。
【００４０】
この構成によれば、バッテリ支持部材（バッテリ支持ブラケット７）はバッテリ４の保持とバッテリ４を持ち運ぶ為の取手を兼用できる。この様にバッテリ支持部材（バッテリ支持ブラケット７）が取手となるので、バッテリ４の持ち運びが容易になる。また、バッテリ支持部材（バッテリ支持ブラケット７）が取手になるので、バッテリ４をバッテリ取付部（ブラケット１）上に載せたり、或いはバッテリ４をバッテリ取付部（ブラケット１）上から持ち上げたりするのが容易となる。
【００４１】
また、この発明の実施の形態のバッテリ搬送取付装置では、前記バッテリトレイ６の支持部（側壁１１）が弾性体から形成されている。この構成によれば、バッテリトレイ６の支持部（側壁１１）の可撓性を利用してバッテリ支持部材（バッテリ支持ブラケット７）を所定量Ｈだけ上下動可能にすることができる。
【００４２】
即ち、バッテリ固定装置８による固定操作時に支持部（側壁１１）を撓ませて、バッテリ支持部材（バッテリ支持ブラケット７）を所定量Ｈだけ降下させることにより、バッテリ支持部材（バッテリ支持ブラケット７）をバッテリ４の上面に押し付けて、バッテリ４をバッテリ取付部（ブラケット１）上に固定することができる。これにより、バッテリ支持部材（バッテリ支持ブラケット７）はバッテリ４をバッテリ取付部（ブラケット１）保持する機能を有する。
【００４３】
尚、この発明の実施例では、支持部をバッテリトレイの一部として形成しているが、必ずしもこれに限定されるものではない。即ち、バッテリトレイとこの支持部（側壁１１）とを別部材から形成しても良い。この場合、バッテリトレイと支持部（側壁１１）との材料を自由に選択できるので、例えばバッテリトレイを金属から形成し、支持部を可撓性のある樹脂等から形成することもできる。
【００４４】
また、このバッテリ固定装置８によるバッテリ４の固定状態を解除することで、支持部（側壁１１）が自己の弾性力で自動的に原状に復帰して、バッテリ支持部材（バッテリ支持ブラケット７）が支持部（側壁１１）により所定量Ｈだけ上昇させられる。これにより、バッテリ支持部材（バッテリ支持ブラケット７）は、バッテリ４の上面から離反させられて取手として機能する。
【００４５】
また、この発明の実施の形態のバッテリ搬送取付装置では、前記バッテリ支持部材は両端部（１３ｃ）が前記バッテリ４の上面に当接しているとき前記バッテリ４の上面の端子部４ａ，４ｂに対応する部分（把手部１３の端部１３ｃ）が前記バッテリ４の上面の端子部４ａ，４ｂより低く、且つ上方に前記所定量移動したときに前記端子部４ａ，４ｂに対応する部分（把手部１３の端部１３ｃ）が前記端子部４ａ，４ｂより上方に持ち上がるようになっている。
【００４６】
この構成によれば、バッテリ支持部材（バッテリ支持ブラケット７）が上方に所定量（Ｈ）移動状態では、バッテリ４をバッテリトレイ６に搭載したり、バッテリ４をバッテリトレイ６から外したりするときに、バッテリ４の端子部４ａ，４ｂがバッテリ支持部材（バッテリ支持ブラケット７）に干渉するのを防止できる。しかも、この状態では、取手としてのバッテリ支持部材（バッテリ支持ブラケット７）が掴みやすくなる。
【図面の簡単な説明】
【図１】この発明に係るバッテリ搬送取付装置によるバッテリの取付状態を示す斜視図である。
【図２】図１のバッテリトレイの斜視図である。
【図３】図１のバッテリ支持ブラケット７の端部を矢印Ａ方向からみた拡大説明図である。
【図４】図１のＢ−Ｂ線に沿う部分断面図である。
【図５】図４の締付ナットを取り外した状態の断面図である。
【図６】図５のバッテリを持ち上げるときの説明図である。
【図７】図５のバッテリをバッテリトレイに対して取り出すときの説明図である。
【符号の説明】
１…ブラケット（バッテリ取付部，車体パネル）
４…バッテリ
４ａ，４ｂ…端子部
６…バッテリトレイ
７…バッテリ支持ブラケット（バッテリ支持部材）
８…バッテリ固定装置
９…バッテリ載置部（載置部）
１１…側壁（支持部）
１３…把手部（取手）
１３ｃ…端部
【図１】
2005053261.tif 000003
【図２】
2005053261.tif 000004
【図３】
2005053261.tif 000005
【図４】
2005053261.tif 000006
【図５】
2005053261.tif 000007
【図６】
2005053261.tif 000008
【図７】
2005053261.tif 000009